(57)【要約】      （修正有）【課題】採取された血液を採血管に注入する一連の作業において作業効率の低下を抑制しつつ安全性を向上することができる採血管ホルダーを提供する。【解決手段】開口部５を有し、この開口部５と連通して、開口部５から挿入された採血管Ｃを支持する支持室６が内部に形成されたホルダー本体１と、採血用注射針Ｎに対してホルダー本体１を移動可能に連結する連結部とを備え、ホルダー本体１は、連結部により、開口部５に向かって延びるように採血用注射針Ｎを支持室６内に収容する収容位置と、採血用注射針Ｎを支持室６の外側に露出させる退避位置に移動する。【選択図】図２
2015167631.tif 000002
【特許請求の範囲】
【請求項１】
採血用注射針に対して採血管を支持するための採血管ホルダーであって、
開口部を有し、前記開口部と連通して、前記開口部から挿入された前記採血管を支持する支持室が内部に形成されたホルダー本体と、
前記採血用注射針に対して前記ホルダー本体を移動可能に連結する連結部と
を備え、
前記ホルダー本体は、前記連結部により、前記開口部に向かって延びるように前記採血用注射針を前記支持室内に収容する収容位置と、前記採血用注射針を前記支持室の外側に露出させる退避位置に移動する採血管ホルダー。
【請求項２】
前記ホルダー本体は、前記採血用注射針に沿って延びるスリットを有し、
前記連結部は、前記採血用注射針が前記スリットを介して前記支持室内に収容または前記支持室の外側に露出するように、前記採血用注射針が延びる方向に対して直行する軸の周りに前記ホルダー本体を回動可能に連結する請求項１に記載の採血管ホルダー。
【請求項３】
前記連結部は、前記採血用注射針が前記開口部を介して前記支持室内に収容または前記支持室の外側に露出するように、前記採血用注射針が延びる方向に前記ホルダー本体をスライド可能に連結する請求項１に記載の採血管ホルダー。
【請求項４】
前記開口部を覆うと共に弾性的に前記支持室内に移動可能な開口カバーをさらに備える請求項１〜３のいずれか一項に記載の採血管ホルダー。
【請求項５】
前記ホルダー本体は、前記開口部に向かって前記支持室の幅が拡がるように傾斜した内壁面を有し、前記支持室に前記採血管を挿入するに従って前記採血管の中心軸が前記採血用注射針の延長線上に位置するように前記内壁面が前記採血管をガイドする請求項１〜４のいずれか一項に記載の採血管ホルダー。
【請求項６】
前記支持室内に収容された前記採血用注射針を外側から支持して前記ホルダー本体に対して前記採血用注射針の位置を固定する針固定部をさらに備える請求項１〜５のいずれか一項に記載の採血管ホルダー。
【請求項７】
前記ホルダー本体は、前記支持室内に挿入された前記採血管の側部を押圧して位置を固定する採血管固定部を有する請求項１〜６のいずれか一項に記載の採血管ホルダー。
【請求項８】
前記採血用注射針は、翼状針の針部である請求項１〜７のいずれか一項に記載の採血管ホルダー。
【発明の詳細な説明】
【技術分野】
【０００１】
本発明は、採血管ホルダーに関し、特に、採血用注射針に対して採血管を支持するための採血管ホルダーに関するものである。
【背景技術】
【０００２】
採血管ホルダーは、採血された血液を採血管に注入する際に採血管を支持するためのものである。例えば、採血管ホルダーは、内部に採血管を挿入して支持する支持室を有し、先端部を貫通して支持室内に突出するように採血用注射針を設けたものが用いられている。この採血用注射針の先端部を被験者の血管内に刺入すると共に真空採血管を支持室内に挿入して採血用注射針の後端部に刺入させることにより、真空採血管内の圧力に従って血管内の血液を真空採血管内に容易に注入することができる。
【０００３】
しかしながら、例えば、高齢者などの血液は、粘度が高く、血管内を流れる速度も遅いため、真空採血管内の圧力では血液を滑らかに真空採血管に注入させることが困難であった。このため、高齢者などの血液を採取する場合には、注射器などを用いて被験者の血管内から血液を一旦採取した後、一方の手で注射器を把持すると共に他方の手で真空採血管を把持し、血管から抜かれた注射針を真空採血管に刺し直して、注射器から真空採血管に血液を注入する作業が行われている。このため、注射針を真空採血管に刺し直す際に、血液が付着した注射針が作業者の手に刺さる、いわゆる針刺しのおそれがあった。
【０００４】
そこで、注射器に採取された血液を真空採血管に注入する作業の安全性を高める技術として、注射器の採血用注射針を固定可能な採血管ホルダーが提案されている（特許文献１）。この採血管ホルダーでは、注射器の採血用注射針を支持室に連通する孔に挿入して固定し、採血用注射針の反対側から支持室内に真空採血管を挿入することで採血用注射針の先端部を真空採血管に刺入させるため、針刺しの危険性を抑制することができる。
【先行技術文献】
【特許文献】
【０００５】
【特許文献１】特開２００７−３０７０６３号公報
【発明の概要】
【発明が解決しようとする課題】
【０００６】
しかしながら、特許文献１の採血管ホルダーは、作業台に載置した状態で作業を行った場合には針刺しの危険性を抑制することができるものの、採血管ホルダーを手に持って作業を行うと、例えば、採血用注射針を採血管ホルダーの孔に挿入する際に採血用注射針が作業者の手に刺さるなど、作業の安全性が低下するおそれがあった。一方、採血管ホルダーを作業台に載置した状態で作業を行うと、作業効率が低下するといった問題があった。
【０００７】
この発明は、このような従来の問題点を解消するためになされたもので、採取された血液を採血管に注入する一連の作業において作業効率の低下を抑制しつつ安全性を向上することができる採血管ホルダーを提供することを目的とする。
【課題を解決するための手段】
【０００８】
この発明に係る採血管ホルダーは、採血用注射針に対して採血管を支持するための採血管ホルダーであって、開口部を有し、開口部と連通して、開口部から挿入された採血管を支持する支持室が内部に形成されたホルダー本体と、採血用注射針に対してホルダー本体を移動可能に連結する連結部とを備え、ホルダー本体は、連結部により、開口部に向かって延びるように採血用注射針を支持室内に収容する収容位置と、採血用注射針を支持室の外側に露出させる退避位置に移動するものである。
【０００９】
ここで、ホルダー本体は、採血用注射針に沿って延びるスリットを有し、連結部は、採血用注射針がスリットを介して支持室内に収容または支持室の外側に露出するように、採血用注射針が延びる方向に対して直行する軸の周りにホルダー本体を回動可能に連結することができる。
また、連結部は、採血用注射針が開口部を介して支持室内に収容または支持室の外側に露出するように、採血用注射針が延びる方向にホルダー本体をスライド可能に連結することもできる。
【００１０】
また、開口部を覆うと共に弾性的に支持室内に移動可能な開口カバーをさらに備えることが好ましい。
【００１１】
また、ホルダー本体は、開口部に向かって支持室の幅が拡がるように傾斜した内壁面を有し、支持室に採血管を挿入するに従って採血管の中心軸が採血用注射針の延長線上に位置するように内壁面が採血管をガイドすることが好ましい。
【００１２】
また、支持室内に収容された採血用注射針を外側から支持してホルダー本体に対して採血用注射針の位置を固定する針固定部をさらに備えることができる。
【００１３】
また、ホルダー本体は、支持室内に挿入された採血管の側部を押圧して位置を固定する採血管固定部を有することができる。
【００１４】
また、採血用注射針は、翼状針の針部であるのが好ましい。
【発明の効果】
【００１５】
この本発明によれば、ホルダー本体が連結部により採血用注射針に対して収容位置と退避位置に移動可能に連結されているので、採取された血液を採血管に注入する一連の作業において作業効率の低下を抑制しつつ安全性を向上することが可能となる。
【図面の簡単な説明】
【００１６】
【図１】この発明の実施の形態１に係る採血管ホルダーの構成を示す図である。
【図２】ホルダー本体の支持室内に採血管が挿入される様子を示す断面図である。
【図３】ホルダー本体が収容位置から退避位置に回動する様子を示す図である。
【図４】採血された血液を採血管に注入する様子を示す図である。
【図５】実施の形態２に係る採血管ホルダーの構成を示す図である。
【図６】実施の形態２のホルダー本体をスライドさせる様子を示す図である。
【図７】実施の形態３に係る採血管ホルダーの構成を示す図である。
【図８】実施の形態３のホルダー本体の使用方法を示す図である。
【図９】採血管が採血管固定部に固定される様子を示す断面図である。
【図１０】変形例に係る開口カバーを示す断面図である。
【発明を実施するための形態】
【００１７】
以下、この発明の実施の形態を添付図面に基づいて説明する。
実施の形態１
図１（ａ）および（ｂ）に、この発明の実施の形態１に係る採血管ホルダーの構成を示す。この採血管ホルダーは、採血用注射針Ｎに対して採血管を支持するもので、内部に採血用注射針Ｎを収容するホルダー本体１と、採血用注射針Ｎに対してホルダー本体１を移動可能に連結する連結部２と、ホルダー本体１と連結部２とを接続する接続部３とを有する。
【００１８】
ここで、採血用注射針Ｎは翼状針Ｂの針部であり、翼状針Ｂは、採血用注射針Ｎと、採血用注射針Ｎの基端部に配置された一対の翼部Ｗと、一対の翼部Ｗの後部から延びて図示しないシリンジと連結される連結チューブＴとを有する。
また、採血管は、採血された血液を収容して保管するためのもので、例えば、内部が減圧された真空採血管を用いることが好ましい。
【００１９】
ホルダー本体１は、底部に開口カバー４で覆われた開口部５を有し、この開口部５と連通して採血管を支持するための支持室６が内部に形成されている。
図２（ａ）〜（ｃ）に、ホルダー本体１の内部の構成を詳細に示す。図２（ａ）に示すように、採血用注射針Ｎは、支持室６の中心部を開口部５に向かって延びるように支持室６内に収容されている。
【００２０】
開口カバー４は、自らが有する弾性により支持室６内に伸縮移動可能に設けられており、図２（ｂ）に示すように、採血管Ｃの上部Ｕで開口カバー４を下側から押圧することで採血管Ｃを支持室６内に挿入することができる。また、ホルダー本体１は、開口部５に向かって支持室６の幅が拡がるように傾斜した内壁面を有し、支持室６内に採血管Ｃを挿入するに従って採血管Ｃの中心軸が採血用注射針Ｎの延長線上に位置するように採血管Ｃが内壁面によりガイドされる。
また、開口カバー４は、図２（ｃ）に示すように、支持室６から採血管Ｃを抜くことにより、弾性的に元の位置に戻り、支持室６の開口部５を再び覆うことができる。
【００２１】
さらに、ホルダー本体１と接続部３には、採血用注射針Ｎに沿って延びると共に支持室６に連通するスリット７が形成されている。接続部３に形成されたスリット７の内側には、支持室６内に収容された採血用注射針Ｎを外側から支持してホルダー本体１に対して採血用注射針Ｎの位置を固定する針固定部８が設けられている。針固定部８は、弾性的に開閉自在に設けられており、接続部３の内壁との間で採血用注射針Ｎの位置を固定している。
【００２２】
連結部２は、図３に示すように、連結チューブＴに接続される採血用注射針Ｎの基端部を外側から囲むように配置され、採血用注射針Ｎが延びる方向に対して直行する軸の周りにホルダー本体１を回動可能に連結する。ホルダー本体１を回動させることにより、採血用注射針Ｎがスリット７を介して支持室６内に収容または支持室６の外側に露出される。すなわち、ホルダー本体１は、連結部２により、開口部５に向かって延びるように採血用注射針Ｎを支持室６内に収容する収容位置と、採血用注射針Ｎを支持室６の外側に露出させる退避位置に移動することになる。
【００２３】
なお、ホルダー本体１、連結部２および接続部３は、接触等による変形が生じない材料から構成されることが好ましく、例えば、合成樹脂などから構成することができる。
【００２４】
次に、この実施の形態１の動作について説明する。
まず、図１（ａ）および（ｂ）に示すように、ホルダー本体１が収容位置に配置されて、採血前の採血用注射針Ｎが支持室６内に収容される。このように、採血前の採血用注射針Ｎは、支持室６内に収容して保護することが好ましい。なお、採血用注射針Ｎをカバーする新たな針カバーを採血用注射針Ｎに装着しておくこともできる。また、針カバーを採血用注射針Ｎに装着した状態で採血用注射針Ｎを支持室６内に収容することもできる。
【００２５】
次に、採血用注射針Ｎの位置を固定する針固定部８を採血用注射針Ｎの側面で内側から押圧して、採血用注射針Ｎを針固定部８の外側に移動させる。そして、図３に示すように、連結部２によりホルダー本体１を回動させることにより、スリット７を介して採血用注射針Ｎを支持室６の外側に露出させると共にホルダー本体１を退避位置に移動させる。
【００２６】
続いて、図４（ａ）に示すように、翼状針Ｂの一対の翼部Ｗを折り畳むように指で摘み、採血用注射針Ｎを被験者Ｓの血管Ｖ内に刺入させる。
ここで、翼状針Ｂは、直針を有する通常の注射器と比較して、採血用注射針Ｎの基端部近傍を指で摘んで操作するため操作性が高く、例えば高齢者などの細くて蛇行する血管Ｖに対して採血用注射針Ｎをスムーズに刺入することができる。
【００２７】
このようにして、採血用注射針Ｎを血管Ｖ内に刺入させた後、連結チューブＴの基端部に接続された図示しないシリンジを用いて採血を行う。一般的に、高齢者などの血液は、粘度が高く、血管Ｖ内を流れる速度も遅いため、真空採血管の圧力を利用して直接採取することが困難である。そこで、シリンジを用いて採血速度を調節することで、血液に不要な負荷を与えることなくスムーズに採血することができる。
【００２８】
シリンジ内に所定量の血液が採取されると、図４（ｂ）に示すように、連結部２によりホルダー本体１を回動させて、スリット７を介して採血用注射針Ｎが支持室６内に収容されると共に採血用注射針Ｎの側面で針固定部８を外側から押圧して採血用注射針Ｎを針固定部８の内側に配置することにより採血用注射針Ｎの位置が固定される。
このようにして、ホルダー本体が、収容位置に移動されて、採血用注射針Ｎが開口部５に向かって延びるように支持室６内に収容される。このように、ホルダー本体１を移動させるだけで血液が付着した採血用注射針Ｎを支持室６内に容易に収容することができるため、作業効率を妨げることなく安全に採血用注射針Ｎを取り扱うことができる。
【００２９】
ホルダー本体１を収容位置に移動させると、真空採血管Ｃがホルダー本体１の支持室６内に挿入される。具体的には、図２（ａ）に示すように、真空採血管Ｃの上部Ｕで開口カバー４を下側から押圧しつつ真空採血管Ｃを支持室６内に挿入する。開口カバー４は伸縮自在に設けられており、図２（ｂ）に示すように、真空採血管Ｃを支持室６の奥部まで挿入することができる。この時、真空採血管Ｃは、ホルダー本体１の傾斜する内壁面により、挿入に従ってその中心軸が採血用注射針Ｎの延長線上に位置するようにガイドされ、採血用注射針Ｎが開口カバー４を貫通して上部Ｕの中心に刺入される。そして、真空採血管Ｃを支持室６の奥部まで挿入することにより、真空採血管Ｃがホルダー本体１の内壁面で支持される。
【００３０】
このように、真空採血管Ｃを支持室６内に挿入することにより、真空採血管Ｃの上部Ｕに採血用注射針Ｎを容易に刺入することができると共に真空採血管Ｃを容易に支持することができる。また、血液が付着した採血用注射針Ｎを支持室６内に収容した状態で真空採血管Ｃに採血用注射針Ｎが刺入されるため、針刺しを抑制して作業の安全性を高めることができる。
【００３１】
続いて、真空採血管Ｃの上部Ｕに採血用注射針Ｎが刺入されることにより、図４（ｃ）に示すように、連結チューブＴの基端部に接続された図示しないシリンジから採血された血液Ｌが、真空採血管Ｃの圧力により採血用注射針Ｎを介して真空採血管Ｃ内に注入される。
【００３２】
真空採血管Ｃ内に所定量の血液Ｌが注入されると、図２（ｃ）に示すように、支持室６内から真空採血管Ｃが抜き取られる。この時、開口カバー４は、伸縮自在に設けられており、真空採血管Ｃが抜き取られると同時に元の位置に戻り、支持室６の開口部５を再び覆うことができる。なお、開口カバー４は、開口部５を覆う位置に戻ると同時に、真空採血管Ｃを支持室６内に挿入した際に採血用注射針Ｎにより開けられた開口が小さくなって塞がるような弾性を有することが好ましい。
【００３３】
このように、支持室６の開口部５が開口カバー４で覆われることにより、血液が付着した採血用注射針Ｎを開口部５から暴露することを防ぎ、血液が支持室６内から漏洩することを抑制することができる。このため、真空採血管Ｃを抜いた後の採血管ホルダーは、採血用注射針Ｎを支持室６内に収容した状態で安全に破棄することができる。
【００３４】
本実施の形態によれば、ホルダー本体１が収容位置と退避位置に移動可能に設けられているため、採血された血液を真空採血管Ｃに注入する一連の作業において作業効率の低下を抑制しつつ安全性を向上することができる。
【００３５】
実施の形態２
上記の実施の形態１では、連結部２は、採血用注射針Ｎに対してホルダー本体１を回動可能に連結したが、収容位置と退避位置に移動可能に連結できればよく、これに限られるものではない。
例えば、連結部は、採血用注射針Ｎが開口部５を介して支持室６内に収容または支持室６の外側に露出するように、採血用注射針Ｎが延びる方向にホルダー本体１をスライド可能に連結することができる。
【００３６】
例えば、図５（ａ）および（ｂ）に示すように、実施の形態１の採血管ホルダーにおいて、連結部２に換えて連結部２１を設けると共にホルダー本体１に換えてホルダー本体２２を設けることができる。ここで、図５（ａ）および（ｂ）は、ホルダー本体２２を収容位置に配置した採血管ホルダーを示している。
連結部２１は、翼状針Ｂの連結チューブＴの外径よりも大きく形成された貫通孔２３を有し、この貫通孔２３内に連結チューブＴが配置されて、連結チューブＴに沿ってスライドさせることができる。また、ホルダー本体２２は、実施の形態１のスリット７に換えて、採血用注射針Ｎに沿ってホルダー本体２２の上端から下端まで延びるスリット２４を有する。
【００３７】
ホルダー本体２２を収容位置から退避位置に移動させる際には、図６（ａ）に示すように、翼状針Ｂの一対の翼部Ｗを折り畳み、そのままの状態で連結部２１を連結チューブＴに沿って基端側にスライドさせることにより、ホルダー本体２２を採血用注射針Ｎの延びる方向に沿って後方にスライドさせる。このように、ホルダー本体２２が後方にスライドするのに伴って、折り畳まれた一対の翼部Ｗがホルダー本体２２に対して相対的にスリット２４を通って前方に移動すると共に、採血用注射針Ｎが開口カバー４を貫通して開口部５から支持室６の外側に露出される。このようにして、図６（ｂ）に示すように、ホルダー本体２２が一対の翼部Ｗの後方までスライドされて、採血用注射針Ｎが支持室６から完全に露出される。
【００３８】
支持室６内から採血用注射針Ｎが露出されると、その採血用注射針Ｎを被験者Ｓの血管Ｖ内に刺入して採血が行われる。そして、採血が終了すると、血液が付着した採血用注射針Ｎが上記とは逆の手順により支持室６内に収容される。このように、ホルダー本体２２をスライドさせるだけで血液が付着した採血用注射針Ｎを支持室６内に容易に収容することができ、作業効率を妨げることなく安全に採血用注射針Ｎを取り扱うことができる。
【００３９】
続いて、収容位置に移動されたホルダー本体２２の支持室６内に真空採血管Ｃが挿入されて、支持室６内に収容された採血用注射針Ｎが真空採血管Ｃに刺入される。このように、血液が付着した採血用注射針Ｎが支持室６内に収容された状態で真空採血管Ｃに刺入されるため、針刺しを抑制して作業の安全性を高めることができる。
そして、真空採血管Ｃ内に採血用注射針Ｎを介して所定量の血液が注入された後、支持室６内から真空採血管Ｃを抜くと同時に開口部５が開口カバー４で覆われる。このため、採血用注射針Ｎに付着した血液が支持室６内から漏洩することを抑制することができ、採血管ホルダーを安全に破棄することができる。
【００４０】
本実施の形態によれば、ホルダー本体２２が収容位置と退避位置にスライド可能に設けられているため、採血された血液を真空採血管Ｃに注入する一連の作業において作業効率の低下を抑制しつつ安全性を向上することができる。
【００４１】
実施の形態３
上記の実施の形態２では、ホルダー本体２２は、一対の翼部Ｗを折り畳んだ状態で翼状針Ｂを１つのスリット２４に通してスライドさせたが、採血用注射針Ｎに対してスライドできればよく、これに限られるものではない。
【００４２】
例えば、図７に示すように、実施の形態２の採血管ホルダーにおいて、ホルダー本体２２に換えて、弾性的に変形可能な材料から構成されたホルダー本体３１を設けることができる。ここで、図７は、ホルダー本体３１を収容位置に配置した採血管ホルダーを示している。
ホルダー本体３１は、実施の形態２のスリット２４に換えて、翼状針Ｂの一対の翼部Ｗに対応する２箇所に採血用注射針Ｎに沿って延びるスリット３２を有する。また、ホルダー本体３１は、収容位置において、スリット３２内に一対の翼部Ｗの少なくとも一部が挿入されていることが好ましい。これにより、ホルダー本体３１に対して、支持室６内に収容された採血用注射針Ｎの位置を固定することができる。
【００４３】
ホルダー本体３１を収容位置から退避位置に移動させる際には、図８（ａ）に示すように、連結部２１を連結チューブＴに沿って基端側にスライドさせることにより、ホルダー本体３１を採血用注射針Ｎの延びる方向に沿って後方にスライドさせる。このように、ホルダー本体３１が後方にスライドするのに伴って、一対の翼部Ｗが、スリット３２に沿って相対的に前方に移動してスリット３２の前端部に当接する。これにより、採血用注射針Ｎが、開口部５を介して支持室６の外側に露出される。
【００４４】
続いて、図８（ｂ）に示すように、翼状針Ｂの一対の翼部Ｗをホルダー本体３１と共に折り畳み、その状態で採血用注射針Ｎを被験者Ｓの血管Ｖ内に刺入して採血を行うことができる。そして、採血が終了すると、血液が付着した採血用注射針Ｎが上記とは逆の手順により支持室６内に収容される。
【００４５】
本実施の形態によれば、翼状針Ｂの一対の翼部Ｗを開いた状態でホルダー本体３１をスライドさせて収容位置と退避位置に配置するため、ホルダー本体３１をスライドさせるために一対の翼部Ｗを折り畳む必要がなく、作業効率をより向上させることができる。
【００４６】
なお、上記の実施の形態１〜３において、ホルダー本体は、支持室６内に挿入された真空採血管Ｃの側部を押圧して位置を固定する採血管固定部を有することが好ましい。
例えば、図９（ａ）に示すように、実施の形態１の採血管ホルダーにおいて、ホルダー本体１は、支持室６の奥部に内壁面から突出するように設けられた弾性変形可能な採血管固定部４１を備えることができる。支持室６の奥部まで真空採血管Ｃが挿入されると、図９（ｂ）に示すように、ホルダー本体１の内壁面により真空採血管Ｃが支持されると共に採血管固定部４１が弾性変形して真空採血管Ｃの側部を押圧する。これにより、真空採血管Ｃの位置が固定されるため、採血された血液を真空採血管Ｃに注入する際に真空採血管Ｃが抜け落ちることを防ぎ、作業の安全性を向上することができる。
【００４７】
また、上記の実施の形態１〜３では、開口カバー４は、自らが有する弾性により支持室内に伸縮移動可能に設けられていたが、弾性的に支持室内に移動可能に設けられていればよく、これに限られるものではない。
例えば、図１０（ａ）に示すように、実施の形態１の採血管ホルダーにおいて、ホルダー本体１に換えてホルダー本体４２を備えると共に、開口カバー４に換えて開口カバー４３を備えることができる。
【００４８】
ホルダー本体４２は、支持室６の幅が奥部から開口部５に向かって同じになるように、開口部５に対して直行する方向に延びる内壁面を有する。また、開口カバー４３は、剛性を有する材料から構成されてホルダー本体１の開口部５を覆う板状部材４４と、ホルダー本体４２の内壁面に対して板状部材４４を弾性的に支持する弾性部材４５とを有する。板状部材４４の中央部には、採血用注射針Ｎの先端部に対向する位置に貫通孔４６が形成されている。
【００４９】
このように構成された開口カバー４３の板状部材４４を真空採血管Ｃの上部Ｕで下側から押圧することにより、図１０（ｂ）に示すように、弾性部材４５を収縮させつつ板状部材４４がホルダー本体４２の内壁面に沿って支持室６の奥部まで移動され、真空採血管Ｃが支持室６内に挿入される。この時、採血用注射針Ｎは、板状部材４４の貫通孔４６を介して板状部材４４の下面側に突出し、真空採血管Ｃ内に刺入される。続いて、採血用注射針Ｎを介して真空採血管Ｃ内に所定量の血液が注入された後、真空採血管Ｃが支持室６内から抜かれると、開口部５に向かって付勢された弾性部材４５により板状部材４４が元の位置に戻り、開口部５が再び覆われることになる。
【００５０】
このように、支持室６の開口部５が剛性を有する板状部材４４で覆われることにより、血液が付着した採血用注射針Ｎが手に刺さることをより確実に抑制して安全性を向上することができる。
【００５１】
また、上記の実施の形態１〜３では、採血管ホルダーは、翼状針Ｂの採血用注射針Ｎに対して採血管を支持するように設けられたが、採血用注射針Ｎを有するものであればよく、これに限られるものではない。
【符号の説明】
【００５２】
１，２２，３１，４２  ホルダー本体、２，２１  連結部、３  接続部、４，４３  開口カバー、５  開口部、６  支持室、７，２４，３２  スリット、８  針固定部、２３  貫通孔、４１  採血管固定部、４４  板状部材、４５  弾性部材、４６  貫通孔、Ｂ  翼状針、Ｎ  採血用注射針、Ｗ  一対の翼部、連結チューブ、Ｃ  採血管、Ｕ  採血管の上部、Ｓ  被験者、Ｖ  血管、Ｌ  血液。
【図１】
2015167631.tif 000003
【図２】
2015167631.tif 000004
【図３】
2015167631.tif 000005
【図４】
2015167631.tif 000006
【図５】
2015167631.tif 000007
【図６】
2015167631.tif 000008
【図７】
2015167631.tif 000009
【図８】
2015167631.tif 000010
【図９】
2015167631.tif 000011
【図１０】
2015167631.tif 000012